【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】    【請求項１】一端側から測定媒体を導入可能な筒状のケース（１０）と、  このケース内に収納されたセラミック基板（２０）と、  このセラミック基板に固定された温度検出用の感温素子（２１）と、  前記ケースと前記セラミック基板との間に介在し、前記セラミック基板を前記ケースの内壁に保持する保持部材（５０）とを備える温度センサにおいて、  前記保持部材は、前記セラミック基板を取り囲むように配設され前記セラミック基板を前記ケースに弾性的に支持する金網部（５１）と、 前記ケースの内外空間を一端側と他端側に区画する遮断部（５２）とよりなることを特徴とする温度センサ。    【請求項２】前記遮断部（５２）は、前記金網部（５１）よりも前記ケース（１０）の少なくとも一端側に配設されることを特徴とする請求項１に記載の温度センサ。    【請求項３】一端側から測定媒体を導入可能な筒状のケース（１０）と、  このケース内に収納されたセラミック基板（２０）と、  このセラミック基板に固定された温度検出用の感温素子（２１）と、  前記ケースと前記セラミック基板との間に介在し、前記セラミック基板を前記ケースの内壁に保持する保持部材（５０）とを備える温度センサにおいて、  前記保持部材は、前記セラミック基板を取り囲むように配置されたガラスまたは無機接着剤よりなる無機材（５３）と、 前記ケースの内外空間を一端側と他端側に区画すると共に、前記無機材を保持する保持部（５４、５４ｃ）とよりなることを特徴とする温度センサ。    【請求項４】前記保持部（５４、５４ｃ）は、前記無機材（５３）よりも前記ケース（１０）の一端側に配設されることを特徴とする請求項３に記載の温度センサ。    【請求項５】前記保持部は、前記無機材（５３）の外側を覆う金属製のカップ部材（５４）であり、  このカップ部材が前記ケース（１０）の内壁に接合されていることを特徴とする請求項３又は４に記載の温度センサ。    【請求項６】一端側から測定媒体を導入可能な筒状のケース（１０）と、  このケース内に収納されたセラミック基板（２０）と、  このセラミック基板に固定された温度検出用の感温素子（２１）と、  前記ケースと前記セラミック基板との間に介在し、前記セラミック基板を前記ケースの内壁に保持する保持部材とを備える温度センサにおいて、  前記保持部材は、前記セラミック基板を取り囲むように配置されたセラミック繊維製の成形体（５５）よりなることを特徴とする温度センサ。    【請求項７】前記ケース（１０）のうち前記成形体（５５）が位置する部位は、かしめられていることを特徴とする請求項６に記載の温度センサ。    【請求項８】一端側から測定媒体を導入可能な筒状のケース（１０）と、  このケース内に収納されたセラミック基板（２０）と、  このセラミック基板に固定された温度検出用の感温素子（２１）と、  前記ケースと前記セラミック基板との間に介在し、前記セラミック基板を前記ケースの内壁に保持する保持部材とを備える温度センサにおいて、  前記保持部材は、前記セラミック基板の外周を覆い前記セラミック基板と接合された碍子管（５６）であることを特徴とする温度センサ。    【請求項９】一端側から測定媒体を導入可能な筒状のケース（１０）と、  このケ���ス内に収納されたセラミック基板（２０）と、  このセラミック基板に固定された温度検出用の感温素子（２１）と、  前記ケースと前記セラミック基板との間に介在し、前記セラミック基板を前記ケースの内壁に保持する金網部材（５７）とを備える温度センサにおいて、 前記金網部材（５７）の端面には、ガラス（５８）が含浸されることを特徴とする温度センサ。    【請求項１０】前記ガラス（５８）は、前記金網部材（５７）における前記ケース（１０）の一端側に位置する端面に含浸されることを特徴とする請求項９に記載の温度センサ。【手続補正２】
【補正対象書類名】明細書
【補正対象項目名】００１１
【補正方法】変更
【補正の内容】
【００１１】  まず、請求項１に記載の温度センサにおいては、保持部材（５０）を、セラミック基板（２０）を取り囲むように配設されセラミック基板をケース（１０）に弾性的に支持する金網部（５１）と、ケースの内外空間を一端側と他端側に区画する遮断部（５２）とよりなるものとしたことを特徴としている。本発明によれば、遮断部よりも他端側が排気管内の排気ガス（測定媒体）に曝されることを抑制することができる。 次に、請求項２に記載の温度センサにおいては、保持部材（５０）を、セラミック基板（２０）を取り囲むように配設されセラミック基板をケース（１０）に弾性的に支持する金網部（５１）と、この金網部よりもケースの少なくとも一端側（測定媒体の導入側）に配設されて金網部を測定媒体から遮断する遮断部（５２）とよりなるものとしたことを特徴としている。
【手続補正３】
【補正対象書類名】明細書
【補正対象項目名】００１３
【補正方法】変更
【補正の内容】
【００１３】  また、請求項３に記載の温度センサにおいては、保持部材（５０）を、セラミック基板（２０）を取り囲むように配置されたガラスまたは無機接着剤よりなる無機材（５３）と、ケース（１０）の内外空間を一端側と他端側に区画すると共に、無機材（５３）を保持する保持部（５４、５４ｃ）とよりなるものとしたことを特徴としている。本発明によれば、保持部よりも他端側が排気管内の排気ガス（測定媒体）に曝されることを抑制することができる。  また、請求項４に記載の温度センサにおいては、保持部材（５０）を、セラミック基板（２０）を取り囲むように配置されたガラスまたは無機接着剤よりなる無機材（５３）と、この無機材よりもケース（１０）の一端側（測定媒体の導入側）に配設されて無機材を保持する保持部（５４、５４ｃ）とよりなることを特徴としている。
【手続補正４】
【補正対象書類名】明細書
【補正対象項目名】００１５
【補正方法】変更
【補正の内容】
【００１５】  ここで、請求項５に記載の温度センサでは、請求項３に記載の保持部を、無機材（５３）の外側を覆う金属製のカップ部材（５４）とし、このカップ部材がケース（１０）の内壁に接合されたものとしたことを特徴としており、このようにすれば、無機材と保持部とよりなる保持部材の一体化を好適に実現することができ、好ましい。
【手続補正５】
【補正対象書類名】明細書
【補正対象項目名】００１６
【補正方法】変更
【補正の内容】
【００１６】  また、請求項６に記載の温度センサにおいては、保持部材を、セラミック基板（２０）を取り囲むように配置されたセラミック繊維製の成形体（５５）よりなるものとしたことを特徴としている。
【手続補正６】
【補正対象書類名】明細書
【補正対象項目名】００１８
【補正方法】変更
【補正の内容】
【００１８】  ここで、請求項７に記載の発明のように、ケース（１０）のうち成形体（５５）が位置する部位を、かしめることにより、成形体よりなる保持部材の固定を確実なものとすることができ、好ましい。
【手続補正７】
【補正対象書類名】明細書
【補正対象項目名】００１９
【補正方法】変更
【補正の内容】
【００１９】  また、請求項８に記載の温度センサにおいては、保持部材を、セラミック基板（２０）の外周を覆いセラミック基板と接合された碍子管（５６）よりなるものとしたことを特徴としている。
【手続補正８】
【補正対象書類名】明細書
【補正対象項目名】００２１
【補正方法】変更
【補正の内容】
【００２１】  また、請求項９に記載の発明では、一端側から測定媒体を導入可能な筒状のケース（１０）と、このケース内に収納されたセラミック基板（２０）と、このセラミック基板に固定された温度検出用の感温素子（２１）と、ケースとセラミック基板との間に介在し、セラミック基板をケースの内壁に保持する金網部材（５７）とを備える温度センサにおいて、金網部材（５７）の端面は、ガラス（５８）を含浸されることを特徴としている。本発明によれば、ガラス（５８）部分よりも他端側が排気管内の排気ガス（測定媒体）に曝されることを抑制することができる。 また、請求項１０に記載の発明では、金網部材におけるケースの一端側に位置する端面を、ガラス（５８）を含浸させることによって閉塞したことを特徴としている。